(57)【要約】      （修正有）【課題】小さいサイズでも比較的長く燃えながら火力も良いブロック型着火剤を提供する。【解決手段】ブロック型着火剤５０’は、単品が必要に応じて手のみを用いて簡単に切って使用することができるよう、切り取り線５２によって区画された４つの直方体形状の小単位体５４で構成され、複数の小単位体５４及び切り取り線５２となる部分は、液状パラフィンに黄麻綿の塊を浸漬したまま硬化したものである。【選択図】図３
0003231098.tif 000002
【実用新案登録請求の範囲】
【請求項１】
黄麻綿の塊と、液状パラフィン状態で前記黄麻綿の塊を浸漬したまま硬化したパラフィンブロックとを含んでなるブロック型着火剤。
【請求項２】
縁部の少なくとも一部にささくれが形成されていることを特徴とする、請求項１に記載のブロック型着火剤。
【請求項３】
複数の小単位体が切り取り線によって接続されており、前記切り取り線の厚さは１〜７ｍｍであることを特徴とする、請求項１に記載のブロック型着火剤。
【請求項４】
前記黄麻綿の塊とパラフィンの重量比が１：５〜１：２０であることを特徴とする、請求項１〜３のいずれか一項に記載のブロック型着火剤。
【請求項５】
前記黄麻綿の塊のストランドの平均直径が５〜１００μｍであることを特徴とする、請求項４に記載のブロック型着火剤。
【請求項６】
５〜５０ｍｍの厚さと２０〜２００ｍｍの直径を有することを特徴とする、請求項５に記載のブロック型着火剤。
【考案の詳細な説明】
【技術分野】
【０００１】
本考案は、ブロック型着火剤に係り、特に、小さいサイズでも比較的長く燃えながら火力も良いブロック型着火剤に関する。
【背景技術】
【０００２】
周知の如く、屋外でバーベキュー料理や各種焼肉を行う場合、通常、薪や豆炭（チャコール）などの固形燃料を使用するが、肉焼きに先立って固形燃料に安定的に着火させなければならない。固形燃料に着火させる従来の方法として、ポータブルガスライターを直接使用する方法があるが、この場合には、固形燃料の着火時まで長くは数十秒程度ガスライターに火をつけたまま握持していなければならないため、火傷の危険性があり、特に風が吹く場合には、着火時までより長い時間がかかるか、さらにはガスライターの炎が風で消えて着火が不可能なこともあった。
【０００３】
かかる問題点に鑑みて、紙や着火炭などの他の着火剤に火を移し付けて使用する方法があるが、紙は、炎が長持ちできないだけでなく、屋外で突然手に入れることが容易ではないという問題点があり、着火炭は、その炎が安定して長持ちするものの、体積が大きいだけでなく、燃焼過程で人体に有害な物質が持続的に発生するという問題点があった。
【０００４】
一方、現在のキャンドルテープというものが販売されているが、これは、着火用ではなく、キャンドルを手作りで製作するにあたり、キャンドルの表面などを飾るためのレースなどの装飾テープに過ぎず、本考案とは特別な関連がない。
【考案の概要】
【考案が解決しようとする課題】
【０００５】
本考案は、前述した問題点を解決するためになされたもので、その目的は、小さいサイズでも比較的長く燃えながら火力も良いブロック型着火剤を提供することにある。
【課題を解決するための手段】
【０００６】
上記目的を達成するための本考案のブロック型着火剤は、黄麻綿の塊と、液状パラフィン状態で前記黄麻綿の塊を浸漬したまま硬化したパラフィンブロックとを含んでなる。
【０００７】
前述した構成において、縁部の少なくとも一部にささくれが形成されている。
【０００８】
複数の小単位体が切り取り線によって接続されているが、前記切り取り線の厚さは１〜７ｍｍである。
【０００９】
黄麻綿の塊とパラフィンの重量比は１：５〜１：２０である。
【００１０】
黄麻綿の塊のストランドの平均直径は５〜１００μｍである。
【００１１】
本考案のブロック型着火剤は５〜５０ｍｍの厚さと２０〜２００ｍｍの直径を有する。
【考案の効果】
【００１２】
本考案によれば、小さいサイズでも比較的長く燃えながら火力も良いブロック型着火剤を提供することができる。
【図面の簡単な説明】
【００１３】
【図１】本考案の一実施形態に係るブロック型着火剤の製造工程を説明するためのフローチャートである。
【図２ａ】本考案の一実施形態に係るブロック型着火剤の製造工程を説明するための概略斜視図である。
【図２ｂ】本考案の一実施形態に係るブロック型着火剤の製造工程を説明するための概略斜視図である。
【図２ｃ】本考案の一実施形態に係るブロック型着火剤の製造工程を説明するための概略斜視図である。
【図３】本考案の一実施形態に係るブロック型着火剤の正面図である。
【図４】本考案のブロック型着火剤に使用される黄麻綿の塊を例示的に示す写真である。
【図５】図３に示したブロック型着火剤の実際の写真である。
【図６】図５に示したブロック型着火剤から１つの小単位体のみを分離して示す写真である。
【図７】本考案のブロック型着火剤の他の実施形態に係る写真である。
【図８ａ】本考案のブロック型着火剤の他の実施形態に係る正面図である。
【図８ｂ】本考案のブロック型着火剤の他の実施形態に係る正面図である。
【図９ａ】本考案及び従来のブロック型着火剤の燃焼過程を時間順に比較して示す写真である。
【図９ｂ】本考案及び従来のブロック型着火剤の燃焼過程を時間順に比較して示す写真である。
【図９ｃ】本考案及び従来のブロック型着火剤の燃焼過程を時間順に比較して示す写真である。
【図９ｄ】本考案及び従来のブロック型着火剤の燃焼過程を時間順に比較して示す写真である。
【図９ｅ】本考案及び従来のブロック型着火剤の燃焼過程を時間順に比較して示す写真である。
【図９ｆ】本考案及び従来のブロック型着火剤の燃焼過程を時間順に比較して示す写真である。
【図９ｇ】本考案及び従来のブロック型着火剤の燃焼過程を時間順に比較して示す写真である。
【図９ｈ】本考案及び従来のブロック型着火剤の燃焼過程を時間順に比較して示す写真である。
【考案を実施するための形態】
【００１４】
以下、添付図面を参照して、本考案のブロック型着火剤の好適な実施についてより詳細に説明する。
【００１５】
図１は本考案の一実施形態に係るブロック型着火剤の製造工程を説明するためのフローチャート、図２ａ〜図２ｃはそれぞれ本考案の一実施形態に係るブロック型着火剤の製造工程を説明するための概略斜視図である。図１及び図２ａに示すように、まず、黄麻綿の塊１０を所定の量（後述する）だけコンテナ２０に均等に満たした状態（ステップＳ１００）で、黄麻綿の塊２０が十分浸漬されるようにコンテナ１０に、予め準備した液状パラフィンを、所定の量だけ（後述する）投入（ステップＳ１１０）する。
【００１６】
次に、図２ｃに示すように、プレス加工を行っても、プレス金型４０にパラフィンがくっ付いたり、逆にパラフィンが崩れずに所望の形状を維持することができるほどに液状パラフィンを不完全硬化、例えば、所定の時間だけ待機したり冷気を吹き込んだりして不完全硬化（ステップＳ１２０）させた状態でプレス加工を行うことにより、ブロック型着火剤の単品を製造（ステップＳ１３０）する。
【００１７】
図３は本考案の一実施形態に係るブロック型着火剤の正面図である。図３に示すように、本実施形態では、ブロック型着火剤５０’の単品が必要に応じて手のみを用いて簡単に切って使用することができるよう、例えば切り取り線５２によって区画された４つの直方体形状の小単位体５４で構成されている。
【００１８】
これにより、プレス金型４０は、四角形壁体４６の内部空間４４を横と縦に区画する隔壁４２が備えられた形態であるが、複数の小単位体５４が切り取り線５２によって接続されるように隔壁４２と四角形壁体４６との間には、切り取り線５２の厚さ、例えば１〜７ｍｍ、好ましくは２〜５ｍｍほどの段差が形成される。
【００１９】
図４は本考案のブロック型着火剤に使用される黄麻綿の塊を例示的に示す写真である。図４に示すように、本考案で黄麻綿の塊を使用する理由は、比較的長い時間の間炎が維持されるようにするためであるが、黄麻綿の塊は、麻袋やロープなどを作るために使用される黄麻繊維を製造する過程で生じる副産物として実現できる。
【００２０】
例えば、黄麻ロープは、多年生植物である黄麻の皮を剥いた後、キメに沿って引き裂いて糸を抜いて撚り合わせて製造されるが、この過程で非常に薄いストランドからなるままで固まった黄麻綿の塊が副産物として生成される。
【００２１】
図５は図３に示したブロック型着火剤の実際の写真であり、図６は図５に示したブロック型着火剤から１つのブロックのみを分離して示す写真である。図５に示すように、本考案の一実施形態に係るブロック型着火剤は、好ましくは、複数の小単位体が切り取り線によって接続された形で実現されるが、必要に応じて、ブロック型着火剤全体を使用するか或いは必要な数量だけの小単位体を手で簡単に切って使用することができる。
【００２２】
図６に示すように、複数の小単位体からなるブロック型着火剤の場合、小単位体を手で引き裂けば、切り取り線領域に黄麻綿の塊が露出されているささくれ（ｂｕｒｒ）が形成（赤箱を参照）されるが、このようなささくれがまるで蝋燭の芯の如き役割を果たすことにより、ここに火を付ける場合、迅速かつ簡単に火を付けることができるだけでなく、このようなささくれが導火線になって火が消えずにすぐに小単位体に移し付けられる。
【００２３】
図７は本考案のブロック型着火剤の他の実施形態に係る写真であるので、この実施形態では、ブロック型着火剤の単品がディスク形態の単一体で実現されている。
【００２４】
一方、本考案によれば、黄麻綿の塊は、手で容易に引き裂くことができるように、そのストランドの平均直径が約５〜１００μｍ、好ましくは１０〜４０μｍ程度に実現される。黄麻綿の塊とパラフィンの重量比は、約１：２０、好ましくは１：５〜１０程度である。ブロック型着火剤の厚さは、約５〜５０ｍｍ、好ましくは１０〜３０ｍｍであり、ブロック型着火剤の直径（円板型着火剤の場合）は、約２０〜２００ｍｍ、好ましくは３０〜８０ｍｍである。
【００２５】
ここで、黄麻綿の塊の量は、炎の持続時間と密接な関係があるのに対し、パラフィンの量は、炎の強さ、すなわち火力と密接な関係があるので、これらの重量比を適切に組み合わせることにより、所望の着火剤を製造することができる。
【００２６】
図８ａ及び図８ｂはそれぞれ本考案のブロック型着火剤の他の実施形態に係る正面図である。図８ａ及び図８ｂに示すように、本実施形態では、ブロック型着火剤が全体として円形または六角形からなる状態で、各小単位体が４または６個からなる構造を例示している。
【００２７】
図９ａ〜図９ｈはそれぞれ本考案及び従来のブロック型着火剤の燃焼過程を時間順に比較して示す写真であって、それぞれ点火直後、点火後５分、１０分、１５分、２０分、２５分、３０分および３５分が経過した時点の火炎状態を示している。ここで、従来のブロック型着火剤としては、おがくずとパラフィンを混合して製造された製品が使用されたが、本考案のブロック型着火剤は、黄麻綿の塊とパラフィンの重量比が約１：７程度であるものを使用している。図９ａ及び図９ｈに示すように、従来のブロック型着火剤は、５分前後で最大の火力を維持（図９ｂ参照）するが、１０分前後で次第に火炎の大きさが減少し始めて（図９ｃ参照）から、２０分経過した時点（図９ｅ参照）では、火炎がほぼしぼむが、本考案のブロック型着火剤は、２０分経過した時点でも十分な火力を維持し、４０分経過した時点になって初めて火炎がしぼむことが分かる。
【００２８】
このように、本考案のブロック型着火剤は、黄麻綿の塊とパラフィンを用いて製造され、小さいサイズでも比較的長く燃えながら火力も良いことが分かる。
【００２９】
本考案のブロック型着火剤は、前述した実施形態に限定されず、本考案の技術思想を逸脱することなく多様に変形実施でき、それらの変形も本考案の請求の範囲に記載の範囲内にあることを明らかにしておく。
【００３０】
例えば、本考案のブロック型着火剤は、図１の製造工程とは異なり、非常にさまざまな方法、例えば、連続自動化工程によって製造できるだろう。
【００３１】
また、単一体（単一の小単位体）からなるブロック型着火剤、例えば図７のようなブロック型着火剤の場合にも、プレス加工によってその縁部の全体または少なくとも一部にささくれを強制的に形成させることができる。また、ブロック型着火剤の全体形状や各小単位体の形状も多様に変形実施できるだろう。
【符号の説明】
【００３２】
１０    コンテナ
２０    黄麻綿の塊
４０    プレス金型
４２    隔壁
４４    内部空間
４６    四角形壁体
５０、５０’    ブロック型着火剤
５２    切り取り線
５４    小単位体
【図１】
0003231098.tif 000003
【図２ａ】
0003231098.tif 000004
【図２ｂ】
0003231098.tif 000005
【図２ｃ】
0003231098.tif 000006
【図３】
0003231098.tif 000007
【図４】
0003231098.tif 000008
【図５】
0003231098.tif 000009
【図６】
0003231098.tif 000010
【図７】
0003231098.tif 000011
【図８ａ】
0003231098.tif 000012
【図８ｂ】
0003231098.tif 000013
【図９ａ】
0003231098.tif 000014
【図９ｂ】
0003231098.tif 000015
【図９ｃ】
0003231098.tif 000016
【図９ｄ】
0003231098.tif 000017
【図９ｅ】
0003231098.tif 000018
【図９ｆ】
0003231098.tif 000019
【図９ｇ】
0003231098.tif 000020
【図９ｈ】
0003231098.tif 000021
【手続補正書】
【提出日】令和2年11月18日(2020.11.18)
【手続補正１】
【補正対象書類名】実用新案登録請求の範囲
【補正対象項目名】全文
【補正方法】変更
【補正の内容】
【実用新案登録請求の範囲】
【請求項１】
黄麻綿の塊と、液状パラフィン状態で前記黄麻綿の塊を浸漬したまま硬化したパラフィンブロックとを含んでなり、複数の小単位体が切り取り線によって接続されており、前記切り取り線の厚さは１〜７ｍｍであることを特徴とする、ブロック型着火剤。
【手続補正書】
【提出日】令和3年1月7日(2021.1.7)
【手続補正１】
【補正対象書類名】実用新案登録請求の範囲
【補正対象項目名】全文
【補正方法】変更
【補正の内容】
【実用新案登録請求の範囲】
【請求項１】
厚さが１〜７ｍｍの切り取り線となる部分によって互いに接続された複数の着火剤からなる、ブロック型着火剤であって、
複数の前記着火剤及び前記切り取り線となる部分は、液状パラフィンに黄麻綿の塊が浸漬されて硬化されてなることを特徴とする、ブロック型着火剤。